Podtech/llm-jp-corpus-v4-ja_patent huggingface dataset:
(57)【要約】【課題】  雨の日、電車などに乗って座席に腰掛けた時、濡れた傘を手で持つことなくバッグの傘立て留め具に傘を留めておく傘立て機能付きバッグである。  傘立て留め具は、長傘用及び折りたたみ傘用と個々設けてあり、全ての傘に対応している。【解決手段】  バッグの正面中央下部に基部プレート▲１▼を設ける。  基部プレート▲１▼は、長傘の留め具である傘立て部▲３▼と蝶番▲２▼で接続している。  通常、傘立て部▲３▼は、基部プレート▲１▼の磁石接合受け部▲６▼と磁石▲４▼で接合して収納されている。  使用時は、傘立て部▲３▼を基部プレート▲１▼より１８０°倒し、傘立て部▲３▼に長傘を通すことによって傘を立て掛ける。  又、折りたたみ傘の留め具である、留め側の孔のあるバンド▲７▼と受け側のピン▲８▼を一体化して基部プレート▲１▼上に設ける。  使用時は、傘の柄の紐リングを留め側の孔のあるバンド▲７▼と受け側のピン▲８▼に挟んで傘を留める。【選択図】  図３
2005066266.tif 000002
【特許請求の範囲】
【請求項１】
バッグの正面中央下方に基部プレート▲１▼を設け、蝶番▲２▼で長傘の傘立て部▲３▼と接続した傘立て機能付きバッグ。
【請求項２】
請求項１に於いて、基部プレート▲１▼に折りたたみ傘の柄のリング状の紐を引っ掛ける留め側の孔のあるバンド▲７▼と受け側のピン▲８▼を組み合わせた、折りたたみ傘傘立て機能を更に備えた傘立て機能付きバッグ。
【発明の詳細な説明】
【技術分野】
【０００１】  この発明は、（イ）長傘用（ロ）折たたみ傘用の傘立て留め具を備えたバッグに関するものである。
【背景技術】
【０００２】  従来、バッグはバッグ本来の物入れ・書類入れの機能しかなかった。そのため雨の日は傘とバッグを持って出掛け、乗り物の座席に座った時は、傘から開放されたい気持が強かった。
【特許文献１】  特開２００２−２８２０３６
【発明の開示】
【発明が解決しようとする課題】
【０００３】  雨の日の通勤の往復、通勤バッグを持ちながら傘をさすのは大変である。乗り物に乗って座席に座った時、傘から開放され安らかな気持で本・雑誌・新聞が読めたらと思う人は多い。  本発明は、このような人達の要望に応えるべく全ての傘に対応した傘立て機能を付加したバッグである。
【課題を解決するための手段】
【０００４】（イ）長傘の傘立て留め具について。
（ａ）基部プレート▲１▼と傘立て部▲３▼は、蝶番▲２▼で接続している。
（ｂ）傘立て部▲３▼は、磁石▲４▼と基部プレート▲１▼の磁石接合受け部▲６▼で固定され収納されているが、使用時は傘立て部▲３▼を１８０°倒して使用する。
（ｃ）通勤時、混んだ電車内ではバッグの傘立て留め具が押され、ぶつかり痛む為、基部プレート▲１▼の両端に傘立て部保護バー▲９▼を設ける。
（ｄ）傘立て部▲３▼の傘通し部分の間隔幅は、４ｃｍを設定している。
（ロ）折りたたみ傘の傘立て留め具について。
（ａ）基部プレート▲１▼上に折りたたみ傘の留め具である留め側の孔のあるバンド▲７▼と受け側のピン▲８▼を一体化して設ける。
本発明は、（イ）（ロ）の構成より成っている。
【発明を実施するための最良の形態】
【０００５】  次に本発明の使用について述べる。  使用する時は、バッグの傘立て留め具のある基部プレート▲１▼の面を上に向けてバッグを膝の上に置く。
（イ）長傘傘立て留め具は、基部プレート▲１▼の磁石接合受け部▲６▼と傘立て部▲３▼の磁石▲４▼の接合を切り離し、傘立て部▲３▼をバッグより１８０°倒し、膝の手前まで持ってくる。  １８０°倒した傘立て部▲３▼に長傘を通すことによって長傘を固定して立て掛けることが出来る。
（ロ）折りたたみ傘傘立て留め具は、バッグ正面に固定された基部プレート▲１▼上に据付けられている留め側の孔のあるバンド▲７▼と受け側のピン▲８▼に折りたたみ傘の柄の紐リングを挟んで固定することによって、折りたたみ傘を立て掛けることが出来る。
【発明の効果】
【０００６】雨の日、乗り物に乗って座席に座った時、次のような効果がある。
（イ）本・雑誌・新聞が自由に読めるようになる。
（ロ）傘から開放されることにより、雨の日の憂鬱な気分が緩和され身体的、精神的によい。
（ハ）傘の置き忘れ防止に寄与する。
【図面の簡単な説明】
【０００７】
【図１】バッグと長傘と傘立て留め具の斜視図
【図２】バッグと折りたたみ傘と傘立て留め具の斜視図
【図３】基部プレートより長傘傘立て部を開口した平面図
【符号の説明】
【０００８】    ▲１▼  基部プレート
▲２▼  蝶番
▲３▼  傘立て部
▲４▼  磁石
▲５▼  傘転倒防止の突起
▲６▼  磁石の接合受け部
▲７▼  留め側の孔のあるバンド
▲８▼  受け側のピン
▲９▼  傘立て部保護バー
【図１】
2005066266.tif 000003
【図２】
2005066266.tif 000004
【図３】
2005066266.tif 000005
(57)【要約】【課題】最近、内臓脂肪や腸管免疫等腹部に関する問題が生じている。その対策として食べ物や薬が、運動でもジョギングや水泳等全身運動が主流である。腹部に直接圧力を加える事は危ない故そんな事は行うなという考えが一般的である。この危険思想にたいし自分で直接加圧すれば危険はさけられる事、そして足の力を利用すると強い力を出せる事で課題にとりくんだ。【解決手段】足押器具と紐を組み合わせる事により、足の力を腹を絞る力に変換でき課題を解決【選択図】図３
2005066263.tif 000002
【特許請求の範囲】
【請求項１】
Ａ  足で加圧可能な形状よりなる足当板に、紐を巻くための１本の棒状の軸棒を付着し、次に紐の滑り止めの為の突起を軸棒に付着し、その足当板と軸棒と突起よりなる足押器具を用意する。
Ｂ  足で押す力を腰に伝えるために、軸棒に巻き又腰にも巻くための紐を用意する。
以上のＡの足押器具とＢの紐との組み合わせを特徴とする足押し腹絞り運動用具。
【発明の詳細な説明】
【技術分野】
【０００１】本発明は、腹部をほぐし内臓を活性化し健康増進を図る。
【背景技術】
【０００２】腹部に関しては、腹部に直接圧力を加えると危険故行うなという考え方が一般的で、従来技術も手によるもみほぐし程度のものしかない。
腰部に関しては、腰牽引機械やベルトで腰全体に圧力をかける方法などあるが、これらはいずれも広い帯状の布やゴムなど使用しているため、腹部に食い込ませるような作用はなく腹部を直接絞る効果は小さい。ましてや足の力を利用したものはない。
これらの事から本発明につながる背景技術はない。
【発明の開示】
【発明が解決しようとする課題】
【０００３】最近、内臓脂肪や腸管免疫等腹部についての問題が発生している。それを解決する方法として現在食べ物や薬での対処方法が、又運動ではジョギングや水泳等全身使用のものが主流である。この発明は直接腹部へ圧力を加える事をめざしたものである。
課題の第１は腹部への直接圧力は危険という考えには、自分でやれば危険はさけられる事。第２は強力にそして永続できる加圧方法には、足の力を利用すれば可能という事で開発した。
【課題を解決するための手段】
【０００４】本発明は、紐（５）を軸棒（２）に巻いて、紐（５）と足押器具（４）とを連結し、次に両足を少し伸ばした座り姿勢で、足当板（１）に足をあてがいながら腰に紐（５）を巻いた状態（以下静止状態と記す）で足当板（１）を足で押して加圧する（以下加圧状態と記す）と腹を直接絞る事ができる。
【足腰間寸法調整】
【０００５】足で押す力は、紐（５）の緊張度により発揮に差が生ずる。その緊張度は足先と腰の間の長さ寸法（以下足腰間寸法と記す）の調整に左右される。足腰間寸法の大きな調整は、紐（５）を軸棒（２）に巻きつける回数によって、又１から２ｃｍ単位の微調整は、紐（５）を腰に巻いた後足押器具（４）を回転する事により、紐（５）どうしに撚りをかける事ができ、この方法では紐撚り目先端（９）を腹部に食い込ませる事も可能である。
【紐形状】
【０００６】まず、軸棒（２）に巻く前の紐（５）形状は、直線の１本のままでも巻けるが、それより両端を結び輪状にしたものがまきやすい。又当初から輪状にしたものでもよい。次に、全長が同径でもよいが、足腰間寸法調整用としては、巻いたり撚ったりするために細い細紐（６）がよい。腰周りには細ければ痛くなるので腹部を絞れる太さの太紐（７）で柔らかなものがよい。柔らかにするには紐（５）自体を柔らかな繊維で作ってもよいし弾性体をまいてもよいし方法をとわない。
【足当板】
【０００７】足で加圧可能な形状であれば、制限はなく平板でも四角形でもよい。足の当たり具合や足の滑り止めのためには凹凸や切れ込みがあるほうがよく多角形でもよい。
【軸棒】
【０００８】棒状であれば、断面形状や寸法に制限はない。足当板（１）との付着位置についても制限なく足の加圧に支障なければ中央部でも底面端部でもよい。
【滑り止め突起】
【０００９】もし突起（３）がなければ、加圧状態では軸棒（２）から紐（５）はすり抜け腰に力は伝わらない。従って必要なものである。突起（３）の方向は上でも下でも横でもよい。数も１ケとは限らず何個でもよい。形状寸法も滑り止め効果があれば制限はない。
【発明の効果】
【０００１０】足で加圧すると、力は足当板（１）→軸棒（２）→紐（５）→腰と伝わり腰に腰圧力が生ずる。加圧状態では、腰周り２本の紐（５）に伝わっている力は、軸棒（２）又は撚り目先端（９）に１点集中するので腹部に側圧がかかり、静止状態では、ほぼ円形であった腹部断面（８）は長楕円形に変形する。即ち腹を絞る事ができる。従って第一の効果は、足の力を腹部を絞る力に変換した事である。次に腹部絞り動作を繰り返すと、腹部が柔らかになり血行促進し腸の蠕動運動を助長し内蔵活性化効果が生ずる。
【発明を実施するための最良の形態】
【０００１１】加圧状態は紐（５）を軸棒（２）に巻いただけの姿勢でもできるが、腹部側圧力を最大限に効果あらしめるためには、腰周りの紐（５）巻きつけ状態をできるだけ円形にしたほうがよい。そのためには紐撚り目先端（９）を腹部に密着させるか又は食い込ませた状態で加圧すると非常に効果が大きい。
【実施例】
【０００１２】以下図面に従って説明する。
符号１は足当板  ２は軸棒  ３は突起  ４は足押器具  ５は紐  ６は細紐  ７は太紐  ８は腹部断面  ９は撚り目先端である。
Ａ  足で加圧可能な形状よりなる足当板（１）に、紐（５）を巻くための１本の棒状の軸棒（２）を付着し、次に紐（５）の滑り止めの為の突起（３）を軸棒（２）に付着し、その足当板（１）と軸棒（２）と突起（３）よりなる足押器具（４）を用意する。
Ｂ  足で押す力を腰に伝えるために、軸棒（２）に巻き又腰にも巻くための紐（５）を用意する。
以上Ａの足押器具（４）とＢの紐（５）を以下のように組み合わせ使用する。
軸棒（２）に紐（５）を巻いて足押器具（４）と紐（５）を連結し、次に両足を少し伸ばしたすわり姿勢で足当板（１）に足をあてがい、腰に紐（５）を巻き次に足押器具（４）全体をグルグル回し撚り目先端（９）を腹部に密着させそして足で足当板（１）を加圧する。その結果腹部断面（８）がほぼ円形から長楕円に変形する。即ち腹を絞る事ができる。
【産業上の利用可能性】
【０００１３】腹を直接絞る運動を繰り返すと内蔵が活性化するので、健康産業に役立つ。
【図面の簡単な説明】
【０００１４】
【図１】足押器具（４）の軸棒（２）に紐（５）を巻いた斜視図の１例
【図２】軸棒（２）に紐（５）を巻き、さらに紐（５）どうしを撚り次に紐（５）を腰に巻いて加圧する前の状態の平面図の１例
【図３】図２の加圧前の静止状態から加圧状態に移行した平面図の１例
【符号の説明】
【０００１５】符号１は足当板  ２は軸棒  ３は突起  ４は足押器具  ５は紐  ６は細紐  ７は太紐  ８は腹部断面  ９は撚り目先端
【図１】
2005066263.tif 000003
【図２】
2005066263.tif 000004
【図３】
2005066263.tif 000005
(57)【要約】【課題】  アイメークアップ時にまばたきを防止すると同時に、マスカラ用ブラシで睫にマスカラを添付する際に、マスカラが瞼に付着することを防ぎ、かつ睫を湾曲させることを容易にする、アイメークアップ時の作業性を向上させる綿棒を提供する。【解決手段】  軸部１を瞼に密着させることを容易にするために、綿棒の軸部１を湾曲させたことを特徴とする。また、睫を湾曲させることを容易にするために、軸部１の径を払拭部２から軸中央部３へかけて徐々に大きくしたことを特徴とする。【選択図】  図１
2005066267.tif 000002
【特許請求の範囲】
【請求項１】
軸部を湾曲させたことを特徴とする綿棒。
【請求項２】
軸部の径を払拭部から軸中央部へかけて徐々に大きくしたことを特徴とする請求項１記載の綿棒。
【発明の詳細な説明】
【技術分野】
【０００１】  この発明は、綿棒の形状に関する。
【背景技術】
【０００２】  従来の綿棒は、軸部が直線状である。
【発明の開示】
【発明が解決しようとする課題】
【０００３】  マスカラ用ブラシにより睫にマスカラを添付したり、アイラインを描いたりするアイメークアップ時に、まばたきをすることは作業性を低下させる。また、マスカラ用ブラシにより睫にマスカラを添付する際に、瞼にマスカラが付着してしまうことがあり不便である。さらに、マスカラ用ブラシのみで睫を湾曲させることも困難である。
しかしながら、従来の綿棒は、軸部が直線状であったため、アイメークアップ時に使用するには不向きであり、上記の課題を解決することができない。
そこで、この発明では、アイメークアップ時の作業性を向上させる綿棒を提供することを課題とする。
【課題を解決するための手段】
【０００４】  上記の課題を解決するための第一発明は、軸部を湾曲させたことを特徴とする綿棒である。また、第二発明は、軸部の径を払拭部から軸中央部へかけて徐々に大きくしたことを特徴とする綿棒である。
【発明の効果】
【０００５】  第一発明によれば、軸部を湾曲させたことにより、軸部を瞼に密着させることが容易となり、軸部を瞼に密着させることで、まばたきすることを防止することができ、マスカラ用ブラシにより睫にマスカラを添付したり、アイラインを描いたりするアイメークアップ時の作業性を向上させることができる。また、軸部を瞼に密着させることで、マスカラ用ブラシにより睫にマスカラを添付する際に、マスカラが瞼に付着することを防ぐために、マスカラを睫に容易に添付することができる。
第二発明によれば、軸部の径を払拭部から軸中央部へかけて徐々に大きくしたことにより、マスカラ用ブラシによって瞼に密着させた軸部に対して睫を押し付けることで、容易に睫を湾曲させることができる。
【発明を実施するための最良の形態】
【０００６】  この発明の一実施形態を図１に示す。
綿棒の軸部１を湾曲させ、この軸部１の径を払拭部２から軸中央部３へかけて徐々に大きくする。
この実施形態によれば、軸部１を湾曲させたことにより、軸部１を瞼に密着させることが容易となる。
軸部１を瞼に密着させることで、まばたきすることを防止できるため、マスカラ用ブラシにより睫にマスカラを添付する際や、アイラインを描く際に、作業性を向上させることができる。
また、軸部１を瞼に密着させることで、マスカラ用ブラシにより睫にマスカラを添付する際に、マスカラが瞼に付着することなく睫にマスカラを添付すること、および睫の根元からしっかりとマスカラを添付することが容易になる。
また、軸部１の径を払拭部２から軸中央部３へかけて徐々に大きくすることにより、マスカラ用ブラシにより睫にマスカラを添付する際に、マスカラ用ブラシで軸部１に睫を押し付けることで、容易に睫を湾曲させることができる。
【図面の簡単な説明】
【０００７】
【図１】  この発明の一実施形態を示した平面図である。
【符号の説明】
【０００８】１  軸部
２  払拭部
３  軸中央部
【図１】
2005066267.tif 000003
(57)【要約】【課題】  この発明は、高分子ポリマーシートに通気孔を設け、それを包む布等の回りを綴じ合わせ、水分を含ませた後に、袋のあるマスクに挿入し、通気孔を通し、湿った空気を呼吸することができる、吸湿具に関するものである。【解決手段】  高分子ポリマーシート（１）に複数の通気孔（２）を穿ち、それを布等（３）で包み、水分を含ませた後、袋状（５）のあるマスク（４）に挿入【選択図】  図２
2005066265.tif 000002
【特許請求の範囲】
【請求項１】
（イ）高分子ポリマーシート（１）に通気用の穴（２）を穿つ。
（ロ）（１）（２）により形成された高分子ポリマーシートを布等（３）で包み、回りを縫製具で綴じ合わせる。
（ハ）マスク（４）には袋状の空間（５）を設け、（イ）（ロ）に該当する器具を挿入する。
【発明の詳細な説明】
【発明の詳細な説明】
【技術分野】
【０００１】  この発明は、布等にに封入されている、通気性のために穴を穿った高分子ポリマーに水分を含ませ、呼吸により通気孔を通して湿気を吸うと同時に、呼気に含まれる湿気を、高分子ポリマーポリマーシートに吸収されることを可能にしたマスクに関するものである。
【背景技術】
【０００２】  従来より花粉症等の防止を目的としたフィルター付マスクはあったが、冬場乾燥期において、湿気に弱いインフルエンザウィールスの予防に役立ち、呼吸による湿気の吸引と、呼気の湿気を吸収するものはなかった。
【発明が解決しようとする課題】
【０００３】  本案は、冬期の乾燥期に流行するインフルエンザの予防対策として、乾燥した空気に湿気を与え、これを呼吸するために開発しようとするものである。
【課題を解決するための手段】
【０００４】その解決手段を図面により説明すれば、
（イ）高分子ポリマーシート（１）に通気孔（２）を穿つ。
（ロ）（１）（２）により形成されたシートを布等（３）で包み、回りを縫製具で綴り合わせる。
（ハ）本案の（１）（１）（２）により形成された吸湿具を、マスク（４）に設けられた袋状（５）の機能を備えた部分に挿入する。
【発明を実施するための最良の形態】
【０００５】  本案は、以上のような構造であるから、これを使用するときは、本吸湿具を予め水等の液体に浸し、高分子ポリマーシート（１）が水分を含んだあと、マスク（４）の袋部分（５）に挿入して使用する。
尚、本案の実施にあたって次のことができる。【０００６】  本吸湿具を使用する場合、呼吸毎に鼻や口から体内へ流入する吸気に湿気を与え、呼気に含まれる湿気の流出を防ぐことができる。【０００７】  呼吸時間の経過でポリマーに保たれた水分が減少するが、排気に含まれる湿気をポリマーが再吸収することにより、長時間にわたって水分を保持することができる。【０００８】  本吸湿具は、使用に伴い水分の保持が少なくなった場合は、再度水等の液体に浸せば元の状態に戻り、吸湿具が破損するまで繰り返し使用することができる。
【発明の効果】
【０００９】  従って、本吸湿具の使用により、乾燥期に流行する流行性感冒に対し、インフルエンザウィルスが好む鼻や喉の乾燥を防ぎ、湿気を含んだ呼吸でインフルエンザの予防を行ない、快適な呼吸を行なうことができる。
【図面の簡単な説明】
【００１０】
【図１】    本発明の高分子ポリマーシートに穴を穿った斜視図
【図２】    本発明の高分子ポリマーシートを布等で包み、回りを縫製具で綴り合わせた正面図
【図３】    本発明の吸湿具を中央部で切断した斜視図
【図４】    本発明の吸湿具に水分等を含ませ、中央部で切断した斜視図
【図５】    本発明の実施例を示す斜視図
【符号の説明】
【００１１】  １は高分子ポリマーシート
２は高分子ポリマーシートに穿った穴
３は高分子ポリマーシートを包んだ布
４はマスク
５はマスクの袋状部分
６は縫った場合のミシン目
７は水分を含む前の高分子ポリマーシート
８は水分を含んだ後の高分子ポリマーシート
【図１】
2005066265.tif 000003
【図２】
2005066265.tif 000004
【図３】
2005066265.tif 000005
【図４】
2005066265.tif 000006
【図５】
2005066265.tif 000007
(57)【要約】【課題】ブラシヘッドが折り曲げられる歯ブラシを提供する。【解決手段】ブラシの基盤部分がポリプロピレン製の歯ブラシのブラシヘッドと柄の間に、接続部が２ｍｍ以下の厚さの括れを設け、この括れの部分を折り曲げて、折り曲げた部分が屈曲性を示すように成し、ブラシヘッドと柄の角度を容易に変えることができる歯ブラシ。【選択図】図１
2005066268.tif 000002
【特許請求の範囲】
【請求項１】
ブラシの基盤部分がポリプロピレン製の歯ブラシのブラシヘッドと柄の間に、接続部が２ｍｍ以下の厚さの括れを設け、この括れの部分を折り曲げて、折り曲げた部分が屈曲性を示すように成し、ブラシヘッドと柄の角度を容易に変えることができる歯ブラシ。
【発明の詳細な説明】
【技術分野】
【０００１】  この発明は、ブラシヘッドが柄との間で折り曲げられるため、歯の裏や奥を磨きやすい歯ブラシに関するものである。
【背景技術】
【０００２】  従来より歯の裏や奥は歯ブラシの毛先が充分に当たり難く食べかすが残って歯垢が付着しやすかった。歯の裏や奥を磨きやすくするために、ブラシヘッドの部分をブラシ側に曲げたものや、ブラシヘッドの中程に柄を蝶番やボールジョイント方式で接続させ、その接続部分を可動式にしたものなどが知られている。
【発明の開示】
【発明が解決しようとする課題】
【０００３】  従来知られている歯ブラシには次のような欠点があった。
▲１▼ブラシヘッドの部分をブラシ側に曲げたものは歯の奥を磨くためには適しているが、歯の裏や前側には使用し難い。
▲２▼ブラシヘッドの中程に柄を蝶番やボールジョイント方式で接続させ、その接続部分を可動式にしたものは接続部分が平滑でなく凹凸があり、凹凸部に汚れが付着し易く除去し難い。
【課題を解決するための手段】
【０００４】  ブラシの基盤部分がポリプロピレン製歯ブラシのブラシヘッドと柄の間に、接続部が２ｍｍ以下の厚さの括れを設け、この括れの部分を折り曲げて、括れの部分で屈曲性を示すように成し、ブラシヘッドと柄の角度を容易に変えられるようにする。
【発明の効果】
【０００５】  本発明を使用することによって、歯の裏や奥および表側の隅に付着した食べかすをよく除去することができるので、歯垢が付き難く虫歯の予防に効果がある。
【発明を実施するための最良の形態】
【０００６】  以下、本発明の実施の形態について説明する。
図１および図２の実施例では、ブラシの基盤部分がポリプロピレン製の歯ブラシのブラシヘッド（１）と柄（２）の間にブラシ毛（３）の毛先の面と並行して溝を設け、括れ（４）をつくる。括れの狭くなった部分の厚さは１．５ｍｍ程度とする。
本発明は以上のような構成で、これを使用するときは、括れ（４）部分で溝に沿って折り曲げ、図３に示すように屈曲性を成すようにする。
歯の裏や奥を磨くときは、柄（２）を手で握り、ブラシヘッド（１）に人差し指または親指を添えてブラシヘッド（１）を曲げて、歯の裏や奥にブラシ毛（３）の毛先が適当な角度で当たるようにしながら柄（２）を動かす。なお、人差し指または親指を添えなくても柄（２）を動かすとブラシヘッド（１）は歯並びに沿って柔軟に曲がり、歯の裏や前側を柔らかく磨くことができる。
【実施例１】
【０００７】  図４に示した実施例では、ブラシの基盤部分がポリプロピレン製の歯ブラシのブラシヘッド（１）と柄（２）の間にブラシ毛（３）の毛先の面と直交して溝を設け、括れ（５）をつくる。括れの狭くなった部分の厚さは１．５ｍｍ程度とする。
括れ（５）部分で溝に沿って折り曲げ、図５に示すように屈曲性を成すようにすることができる。
【実施例２】
【０００８】  図６に示した実施例では、ブラシの基盤部分がポリプロピレン製の歯ブラシのブラシヘッド（１）と柄（２）の間にブラシ毛（３）の面と並行および直交する二つの溝を設け、括れ（４）および括れ（５）をつくる。括れの狭くなった部分の厚さは両方とも１．５ｍｍ程度とする。
括れ（４）および括れ（５）部分でそれぞれの溝に沿って折り曲げ、上下左右に屈曲性を成すようにすることができる。
【図面の簡単な説明】
【０００９】
【図１】本発明の斜視図
【図２】本発明の側面図、平面図および正面図  （イ）側面図（ロ）平面図（ハ）正面図
【図３】本発明のブラシヘッドの屈曲性
【図４】本発明の他の実施例１を示す斜視図
【図５】本発明の他の実施例１のブラシヘッドの屈曲性
【図６】本発明の他の実施例２を示す斜視図
【符号の説明】
【０００１０】１  ブラシヘッド
２  柄
３  ブラシ毛
４  括れ
５  括れ
【図１】
2005066268.tif 000003
【図２】
2005066268.tif 000004
【図３】
2005066268.tif 000005
【図４】
2005066268.tif 000006
【図５】
2005066268.tif 000007
【図６】
2005066268.tif 000008
(57)【要約】【課題】  従来、老人ホーム、病院において、老人が転倒して骨折することは多々あった。というのが、通路、廊下にワックスをかけているために、なおさら滑りやすくなる。また、保育園、幼稚園においても幼児が廊下や、通路にて走ったり、遊んだりして転倒し、ケガの原因になることも多い。【解決手段】  以上の課題を解決するために、図１のようにマット面の裏表両面に、滑り止め（摩擦面）を付着、又は加工したものである。すべり止めを施したい場所に手軽に、このマットをしくだけで、スリップ防止を実現できる。取替えも容易であるし、形も組み合わせによって自由に作ることができる。【選択図】図１
2005066261.tif 000002
【特許請求の範囲】
【請求項１】
裏表、両面に滑り止め（摩擦面）を設けたことを特徴とする、すべり止めを目的とするマット
【請求項２】
表面には、広告、注意書き、お知らせ等を印刷し、その上に滑り止めを施したマット
【発明の詳細な説明】
【技術分野】
【０００１】  この発明は病院、老人ホームにおいては、老人の転倒の原因になる、スリップを防止し、幼稚園、保育園においても転倒の原因になる、スリップを防止するための道具である。
【背景技術】
【０００２】  従来、これに近い物はあったが、それは片面にだけすべ止めがあり、面積、容積共に大きく、かさばり、汚れても高価であるため、中々交換ができない不便なものであった。それを本発明が薄い芯材（マット）の両面にすべり止めを初めて設けることによって、解決したものである
【発明の開示】
【発明が解決しようとする課題】
【０００３】  従来、老人ホーム、病院において、老人が転倒して骨折することは多々あった。というのが、通路、廊下にワックスをかけているために、なおさら滑りやすくなる。また、保育園、幼稚園においても幼児が廊下や、通路にて走ったり、遊んだりして転倒し、ケガの原因になることも多い。それらを解決する。
【課題を解決するための手段】
【０００４】  以上の課題を解決するために、図１のマット面の裏表両面に、滑り止め（摩擦面）を付着、又は加工したものである。
【発明の効果】
【０００５】  この発明は、すべり止めを施したい場所に手軽に、このマットをしくだけでスリップ防止を実現できる。取替えも容易であるし、形も組み合わせによって自由に作ることができる。
【発明を実施するための最良の形態】
【０００６】    課題を解決するために、図１のマット面の裏面にも、表面にも、熱可塑性樹脂フィルム、加撓性の物質、熱可塑性エラストマー製フィルム、再剥離製粘着剤等のいずれかを又は混合して使用し、滑り止め（摩擦面）を付着、又は加工したものである。
マットの素材としては、ＰＥＴシート合成紙等よりなる基材シート、不織布、織布、フィルム、硬質プラスチック、および紙等がある。マット自体は薄くかさばらず、軽いし、汚れても、取替えも容易にできる。
【実施例１】
【０００７】  この実施形態によれば、合成紙の芯材の裏表両面に、加撓性の物質を付着させ、すべり止め（摩擦面）を付着させたマットを通路、廊下、室内、など、すべり止めを施したい場所に、図１のように本発明によるマットを敷いたり、マットを敷き詰めることによって、まさにスリップしそうなときに、ストップがかかった状態になって、滑って転ぶことを防止できる。しかも取替えも容易である。
【実施例２】
【０００８】  この実施形態によれば、硬質プラスチックの芯材の裏表両面に、再剥離製粘着材の物質を付着させ、すべり止め（摩擦面）を付着させたマットをトイレの中、トイレ付近にて水が散乱しやすい場所にも、薄く、場所をとらず、ぬれても、雑巾等で軽く拭くことによって、簡単に乾き、すべり止めの効用を発揮することができる。取替えも容易である。
【図面の簡単な説明】
【０００９】
【図１】この発明の実施例１
【図２】この発明のマットの断面図
【符号の説明】
【００１０】１  マット
２  マット表面  すべり止め（摩擦面）を施している。
２′マット裏面  すべり止め（摩擦面）を施している。
３  進行方向
４  芯材
【図１】
2005066261.tif 000003
【図２】
2005066261.tif 000004
(57)【要約】【課題】  髪の毛を櫛で整えると同時にふけと皮脂を取ること。【解決の手段】  櫛歯となる紙を図１のように交互におりたたみ、櫛本体に取り付ける。櫛本体は紙がその状態を保てるよう溝が入っており、その紙を固定するストッパーが紙をはさむようにスライド式に付いている。また、その紙は櫛歯の役割をなすため図３のようにスリットが入っている。これらによって櫛歯になる紙はくの字になり強度を保ち皮脂たけでなくふけも取ることができる。櫛歯は紙製なので汚れた部分を切って使用でき、また、新しいものに取り替えることもできる。【選択図】  図１
2005066248.tif 000002
【特許請求の範囲】
【請求項１】
櫛歯となる紙を図２のように交互におりたたみ、櫛本体に取り付ける。櫛本体は紙がその状態を保てるよう溝が入っており、その紙を溝に固定するストッパーが紙をはさむようにスライド式に付いている。また、その紙は櫛歯の役割をなすため図５のように切り込みが入っている。これによって櫛歯になる紙はくの字になり強度を保つことができる。
【発明の詳細な説明】
【発明の詳細な説明】
【技術分野】
【０００１】  本発明は、櫛に関するものである。
【背景技術】
【０００２】  従来の櫛は髪の毛を整えるだけの機能である。
【発明が解決しようとする課題】
【０００３】  髪の毛を整えつつふけや皮脂を取ること。
【課題を解決するための手段】
【０００４】  櫛歯を紙製にして髪をとかす時に皮脂を吸着させる。また、紙をくの字に曲げ強度を保とともにふけを取る。
【発明を実施するための最良の形態】
【０００５】  櫛歯となる紙を図２のように交互におりたたみ、櫛本体に取り付ける。櫛本体は紙がその状態を保てるよう溝が入っており、その紙を固定するストッパーが紙をはさむようにスライド式に付いている。また、その紙は櫛歯の役割をなすため図５のようにスリットが入っている。これらによって櫛歯になる紙はくの字になり強度を保ち皮脂だけでなくふけも取ることができる。櫛歯は紙製なので汚れた部分を切って使用でき、また、新しいものに取り替えることもできる。
【実施例】
【０００６】  １櫛歯となる紙を図１のように交互におりたたみ２櫛本体に取り付ける。２櫛本体は紙がその状態を保てるような形に３溝がなっており、また、４ストッパーは７ピンを軸に２櫛本体から斜めに広げることができ、５櫛本体の鍵爪と６ストッパーの鍵爪によって１紙製の櫛歯をはさみ固定することができる。またそれは櫛歯の役割をなすため図３のように切り込みが入っている。これらによって１櫛歯になる紙はくの字になり強度を保ち皮脂だけでなくふけも取ることができる。１櫛歯は紙製なので汚れた部分を切って使えることもでき、また、新しいものにに取り替えられる。
【発明の効果】
【０００７】上述のように、紙製の櫛歯によって髪をとかす時、皮脂が吸着され頭皮を健康に保ち、ふけも取ることができる。
【図面の簡単な説明】
【図１】  紙製の櫛歯でできた櫛の斜面図
【図２】  紙製の櫛歯でできた櫛の分解図
【図３】  紙製の櫛歯を広げた図
【符号の説明】
１  紙製の櫛歯
２  櫛本体
３  溝
４  紙のストッパー
５  櫛本体の鍵爪
６  ストッパーの鍵爪
７  ピン
【図１】
2005066248.tif 000003
【図２】
2005066248.tif 000004
【図３】
2005066248.tif 000005
(57)【要約】【課題】単調なポニーテールの髪型を簡便に自分自身でボリュームを出すアレンジができると共に直毛、巻き毛等のくせ毛でも自然なヘヤースタイルに仕上げることを課題とする。【解決手段】ドーム状に構成された複数のアングルによって比較的大きな孔を有する網体を形成し、ポニーテールの髪を団子状にまるめた上からかぶせて装着するのに最適な径と深さを有するサイズに成型され、全体は軽量かつ適度な強度を持たせてある。【選択図】    図３
2005066283.tif 000002
【特許請求の範囲】
【請求項１】
ドーム状に沿って構成された複数のアングルによって比較的大きな孔を有する網体を形成し、ポニーテールの髪を団子状にまるめた上からかぶせて装着するのに最適な径と深さを有するサイズに成型され、全体は軽量かつ適度な強度を持たせたことを特長とするヘヤースタイルメーカー。
【発明の詳細な説明】
【発明の詳細な説明】
【技術分野】
【０００１】  本発明は自分自身でヘヤースタイルを簡便にアレンジできる装飾具を兼ねたヘヤースタイルメーカーである。
より詳細に説明すると浴衣など、手軽に着られる着物を着用したときに頻繁に用いられるヘアースタイルのポニーテールに装着して孔から髪を引き出すことで自分自身で短時間に単調なヘヤースタイルをボリュームアップさせることが可能なヘヤースタイルメーカーに関するものである。【０００２】  ポニーテールはヘアーメイクが手軽でシンプルなので和服姿に似合うため根強い人気があるが見た目が単調でファッション性に欠けるとともに直毛や巻毛などのくせ毛と呼ばれる髪質によっては上手に仕上げられなかったが本発明品を使用することで簡便かつ、お洒落にボリューム感のある髪型にアレンジできるヘヤースタイルメーカーである。
【背景技術】
【０００３】  従来からヘヤースタイルにファッション性を出すためには美容院に行って専門技術を習得した美容師に頼るか、櫛や髪飾りのような装飾道具を用いるしか方法はなかった。【０００４】  特に直毛、巻き毛等、くせ毛の人は思うようにまとまらず困っていた。【０００５】  このように思うようにならず、時間も経費もかかるし、ポニーテール自体は髪飾り等の装飾具を用いても髪形自体は変わらないのでアレンジ性は低く個性を出しにくいのが現状であった。
【発明が解決しようとする課題】
【０００６】    本発明の課題は髪質や髪の長さに関係なく、誰でも簡便に自分自身でポニーテールの髪型をファッション性に富んだボリュームあるスタイルにアレンジできる道具を提供するものである。
【問題を解決するための手段】
【０００７】  本発明は上記課題を解消するために開発されたもので、本発明品の形状がポニーテールを団子状にまるめた上からすっぽりとかぶさるような最適な径と深さを有したドーム型で本体は大きい孔を有する網、又はアングル状で構成され、適度な強度を有して保持力を持たせたことを特長とする。
【発明を実施するための最良の形態】
【０００８】  本発明の実施形態を添付図面に沿って説明する。
図１は本発明品の斜視図である。
図２は髪型をポニーテールにしたときの状態の図である。
図３は本発明品を装着後、髪を一部引き出している状態の図である。
図４はポニーテールがアレンジされたヘヤースタイルの完成図である。【０００９】  図１は本発明品であるヘヤースタイルメーカーの形状を示す斜視図の一例で全体が合成樹脂で射出成型したもので細いアングル部（１）でも適度な強度を保持するドーム状に構成されている。
本発明品のドーム状の下方開口部の直径は約６〜８ｃｍ、高さは約５〜６ｃｍ程が望ましい。【００１０】  本発明品を構成するアングル部（１）は立体的に設けられており、孔（２）の数は高さ方向に３〜４段、周囲方向に６〜８箇所が望ましい。【００１１】  本発明品に用いられる素材は合成樹脂以外にも適度な硬さと太さを有する針金で構成し、針金の表面全体に樹脂加工又は植毛加工（フロッキー）を施すことでも同様の効果は生じる。【００１２】  比較的大きな孔を有する網目状の素材を円形状に打ち抜き、プレス加工にて同様の形状に成型してもおなじような効果は得られる。【００１３】  本発明品のサイズを数種類に分けて成型することで髪の毛の長さに応じて最適なヘヤースタイルを演出することが可能となる。【００１４】  本発明品を装着して髪をセット後、ふくらみのある髪の隙間から本体のアングル部（１）が僅かに露出し、それがアクセントにもなりアクセサリー効果が演出できる。【００１５】  本発明品を数色のカラーリングで揃えることで髪の毛の色や衣類の色に合わせて自由にコーディネイトが楽しめる。
【実施例】
【００１６】  以下、実際に本発明品を使用する場合の実施例を説明する。
はじめに図２に示すように髪の毛を後ろで束ねて輪ゴム等（３）で結束してポニーテールをつくる。【００１７】    結束された先端の髪の毛を丸くまとめて団子状にし、そこに本発明品であるヘヤースタイルメーカーをすっぽりかぶせるような状態で装着する。【００１８】  かぶせた本発明品と髪の毛を固定するために本品のアングル部（１）と髪をヘヤピン（５）等で数箇所留めて固定する。【００１９】  装着後、図３に示すようにヘアピンや櫛の尖った柄の部分（７）を利用して本発明品の孔（２）から髪の毛（６）を引き出す。【００２０】  上記要領にて本発明品に有するそれぞれの孔（２）から順番に同じように髪をかき出すことで全体的にバランスよく髪の毛を引き出されるために図４に示すように全体にふぁっとしたボリューム感のあるヘヤースタイルがアレンジできる。【００２１】本発明品の孔は下段の孔（２）中段部の孔（２−１）天井部の孔（２−２）又は各段ごとの周囲にある孔から出た髪は根元がアングル部（１）にあたるので自然に空間のあるふぁっとした状態になる。【００２２】  本発明品の形状は複数のアングルで構成されている構造なので細くても全体は強度があり、セット後は髪型が崩れにくく、しかも軽量なために装着しても違和感は感じられない。
【発明の効果】
【００２２】  上述のように本発明品を使用することで人手を借りずに短時間でポニーテールの単調な髪型が自然でボリューム感のある個性的なヘヤースタイルにアレンジができる。薄毛やくせ毛の人でも手軽に自然な感じのボリューム感が出る。
【００２３】  本発明品は個人用に使用するだけでなく美容院でのヘヤーメイク部材として又、和服の展示用のマネキン人形等でのディスプレイとしても利用できる。
【図面の簡単な説明】
【図１】本発明品本体の斜視図
【図２】ポニーテール姿の横顔図
【図３】本発明品を装着して髪をかき出している状態の図
【図４】本発明品を使用してアレンジしたヘヤースタイルの図
【符号の説明】
【１】アングル部
【２】孔部
【３】輪ゴム
【４】ポニーテール部
【５】固定用のピン留め
【６】かき出された髪の一部
【７】櫛の柄の先端、またはピン留め
【図１】
2005066283.tif 000003
【図２】
2005066283.tif 000004
【図３】
2005066283.tif 000005
【図４】
2005066283.tif 000006
(57)【要約】【課題】  水陸両用車をレジャーランドの遊戯施設として利用する場合に、単に陸上と水上を走行するだけでは遊戯性に劣る。【解決手段】  プール水中に上部が凸になるようなドーム形状の構造物を設置することにより、水陸両用車はドームに迫上がり、またドーム上から水上に落ちるような遊びが付加され、遊戯性の高い水陸両用車遊戯施設となる。【選択図】  図２
2005066289.tif 000002
【特許請求の範囲】
【請求項１】
上部が凸のドーム状構造物を水中に設けたことを特徴とする、水陸両用車用遊具。
【発明の詳細な説明】
【発明の詳細な説明】
【発明の属する技術】
【０００１】レジャーランドなどにおける水陸両用車用の遊具。
【背景技術】
【０００２】レジャー、スポーツ用の水陸両用車が実用化されているが、レジャーランドの遊具として利用する場合は、単に陸上とプールや池の水上を走行するだけでは遊戯性に劣る。
【発明が解決しようとする課題】
【０００３】水陸両用車をレジャーランドの乗物として使用する場合に、単に陸上と水上を走行するだけでは、遊戯性に劣る。
本発明は、池、プールなどの水中に遊具を設けて水陸両用車の遊戯性を高めるものである。
【発明実施の形態】
【０００４】本発明の実施例を図１、図２、及び図３により以下に説明する。
図１は、ペダル駆動無限軌道式の水陸両用車を、陸上部と水上部から成るプールを用いて遊ぶようにした遊戯施設であり、水中に上部が凸のドーム形状の構造物（以下、水中ドームと記す）を設置した状態の平面図と矢視Ａ−Ａの断面図を示す。
このように構成された、遊戯施設に於いて、水陸両用車は単に水上と陸上を走行するだけでなく、図２のように水中ドームに迫上がり、ドーム頂上に達した後は、急傾斜の斜面より水上に突っ込むような遊びが出来るために遊戯性の高まった水陸両用車遊戯施設とすることが出来る。
図２に示す、水中ドームは平面が円形、断面が球面の一部であるが、図３のように、平面及び断面が多角形でも良い。
また水中ドームの構成材料はアルミ、プラスチックなど材料には制約されない。
又、図１及び図２の例の水陸両用車は無限軌道式であるが、水陸両用車の機構、形式は特定しない。
【図面の簡単な説明】
【０００６】
【図１】（ａ）は水上部と陸上部から成るプール３に水中ドーム１及び水陸両用車２を２台備えた水陸両用車遊戯施設の平面を（ｂ）は矢視Ａ−Ａの断面を示す。
【図２】（ａ）、（ｂ）、（ｃ），（ｄ）は水陸両用車２が水中ドーム１の上を移動して行く状態を示す。
【図３】（ａ）は多面体構造の水中ドームの平面を（ｂ）は矢視Ａ−Ａの断面を示す。
【符号の説明】
１  水中ドーム
１ａ  水中ドームパネル
１ｂ  水中ドームベース
１ｂ  水中ドーム梁
２  水陸両用車
３  プール
【図１】
2005066289.tif 000003
【図２】
2005066289.tif 000004
【図３】
2005066289.tif 000005
(57)【要約】【課題】この発明は、医療従事者が医療機器を使用するとき、工業的に接着剤を連続して使用するとき、液体の切れ目や吐出量の変化が問題になる環境下で、適正と思われる吐出量に設定すれば、液体が切れ目なく連続的に吐出制御ができるシステムである。【解決手段】システム本体（１）に吐出物Ａ（２）と吐出物Ｂ（３）、指定された送液終了時間前に送液流量を減速制御又は増速制御する回路（４）を設ける。【選択図】図１
2005066285.tif 000002
【特許請求の範囲】
【請求項１】
（イ）システム本体１に吐出物Ａ２を設ける。
（ロ）システム本体１に吐出物Ｂ３を設ける。
（ハ）システム本体１に指定された送液終了時間前に送液流量を減速制御又は増速制御する回路４を設ける。
以上の如く構成された、スムーズな吐出切り替え機能つき送液システム。
【請求項２】
（イ）吐出物Ｂ３を省き、指定された送液終了時間前に送液流量を減速制御又は増速制御する回路４に通信機能を設ける。
以上の如く構成された、請求項１のスムーズな吐出切り替え機能つき送液システム。
【発明の詳細な説明】
【技術分野】
【０００１】  本発明は、複数の容器単位に収められた液体を連続して送液を行う環境下で、設定された送液速度で持続して安定に送液が出来るシステムである。
【背景技術】
【０００２】  持続的に微量の液体を、正確な吐出を必要とする手段において、水道水のようにあたかも無限に吐出できる送液装置なら、持続的に微量の液体を制御吐出することは容易い。複数の容器に収められた液体を切れ目無く吐出するためには、予め複数容器をサイホニング現象などを利用して連結するか、減った分を注ぎ足さなけらばならない。しかし、容器を予め連結できない容器とか、注ぎ足しができない形態ではどうしても注入が中断してしまい、スムーズな切り替えが困難だった。
例えば、シリンジに納められた薬液を持続注入する場合、従来はシリンジポンプを用いて持続注入を行うが、感染症の問題があり予め複数容器をサイホニング現象などを利用して連結するとか、減った分を注ぎ足すなどは出来ないため、薬剤がなくなるとシリンジを交換する必要があり、その間は注入が中断した。また、複数台同じシリンジポンプを準備して、先行のシリンジ薬液がなくなると同時にもう一台を起動させても、注入の立ち下がり時間と注入の立ち上がり時間を一致させることが難しく、一時的な過剰投与、又は投与不足が発生したり、常に薬液残量監視と装置切り替え操作を必要とした。
この操作が血管作動薬投与の場合、薬液の切り替えが患者の容体に変化を与えてしまうので、サイズの大きいシリンジや輸液ポンプなどを利用して切り替え時間を長くする工夫をしているが、相対的に投与精度が低くなることが問題である。
たとえ、同じ送液装置を複数台準備して自動的に切り替える送液手段を行っても、切り替えがデジタル的になり送液量に一時的な変動が起こってしまう。又、空気に触れると変化する液体などを連続して一定量吐出させる場合においても同様のことが発生し、作業を中断する必要があった。
【発明の開示】
【発明が解決しようとする課題】
【０００３】  本発明は、医療従事者が医療機器を使用するとき、工業的に接着剤を連続して使用するとき、液体の切れ目や吐出量の変化が問題になる環境下で、適正と思われる吐出量に設定すれば、液体が切れ目なく連続的に吐出制御が出来るシステムである。
【課題を解決するための手段】
【０００４】  いま、その構成を説明すると、
（イ）システム本体１に吐出物Ａ２を設ける。
（ロ）システム本体１に吐出物Ｂ３を設ける。
（ハ）システム本体１に指定された送液終了時間前に送液流量を減速制御又は増速制御する回路４を設ける。
以上のように装置する。
【発明を実施するための最良の形態】
【０００５】  次に本発明の実施の形態を述べると、最初の送液では、吐出物Ａ２が送液され送液終了時間前に指定された送液終了時間前に送液流量を減速制御又は増速制御する回路４により送液流量が減速され、指定された送液終了時間前に送液流量を減速制御又は増速制御する回路４により、吐出物Ｂ３の送液流量が増速される。【０００６】なお、本発明の実施に当たって次の如き事ができる。
（イ）吐出物Ｂ３を省き、指定された送液終了時間前に送液流量を減速制御又は増速する回路４に通信機能を設ける。
以上の内容のシステム本体１を複数台通信ラインでつないでも同じ効果が得られる。
【発明の効果】
【０００７】  したがって、駆動側の液体が残り少なくなったのを検知し、次の液体に接続された他方の送液装置が徐々に送液速度を上げるとともに、液体の残りが少ない送液装置は徐々に送液速度を下げていくことで、あたかも無限に正確な吐出ができる。
【図面の簡単な説明】
【０００８】
【図１】    本発明のブロック図
【図２】    本発明の送液流量変化グラフ
【図３】    本発明の他の実施例のブロック図
【符号の説明】
【０００９】１はシステム本体
２は吐出物Ａ
３は吐出物Ｂ
４は指定された送液終了時間前に送液流量を減速制御又は増速制御する回路
５吐出物出口
６は通信ライン
７は送液流量軸
８は時間軸
９は吐出物Ａの流量変化
１０は吐出物Ｂの流量変化
１１は吐出物配管
【図１】
2005066285.tif 000003
【図２】
2005066285.tif 000004
【図３】
2005066285.tif 000005
(57)【要約】【課題】  板付きレンズにピンホール板挿入用空所を設け、その空所にピンホール板を挿入することにより、球面レンズとピンホール板とを重ねるようにした矯正視力測定器において、板付きレンズを傾けても、ピンホール板が脱落しないようにする。【解決手段】  ピンホール板を板付きレンズに挿入したとき外に残る部分に重心があるようにする。【選択図】図１
2005066281.tif 000002
【特許請求の範囲】
【請求項１】
板付きレンズにピンホール板挿入用空所を設けて球面レンズとピンホール板とを重ねるようにした矯正視力測定器において、ピンホール板挿入用空所に入らない部分に重心があるようにしたピンホール板。
【発明の詳細な説明】
【技術分野】
【０００１】  本発明は矯正視力測定器に関する。
【背景技術】
【０００２】  矯正視力測定器は複数の球面レンズを用意し、それらレンズのいずれにもピンホール板を重ねられるようにしたものである（特許文献１）。
【特許文献１】特開平１３−１７００１０号公報
【発明の開示】
【発明が解決しようとする課題】
【０００３】  球面レンズとピンホール板とを重ねる手段は前記文献に述べられているように各種あるが、本発明は板付きレンズに設けた枠にピンホール板を挿入する形式のものに関する。この形式はピンホール板の着脱が容易という利点はあるが、板付きレンズをピンホール板の柄が下になるように少し傾けただけで、ピンホール板が容易に脱落してしまう欠点があった。簡単には脱落しないピンホール板を得るのが本発明の目的である。
【課題を解決するための手段】
【０００４】  ピンホール板は図１に示すように柄（２）と、ピンホール（３）を有する光学部分（１）とからなる。破線より左側が光学部分で右側が柄である。柄は板付きレンズの空所（６）に入らない。図１のように、重心（Ｇ）が柄の部分にあるならば、ピンホール板を板付きレンズの空所（６）に挿入したとき、重力（矢印）によって、下の桟（８）の角（９）を支点とする回転モーメントが働き、ピンホール板の上部先端の角（５）が上の桟（７）に押し付けられ、その摩擦力のために板付きレンズを少しくらい傾けてもピンホール板は脱落しない。図２の例は重心（Ｇ）が光学部分にあり柄の部分にはないため、回転モーメントが働かないので、板付きレンズを少し傾けただけでピンホール板は滑り落ちてしまう。
【発明の効果】
【０００５】  視力検査中に板付きレンズを大きく傾けることは無いので、本発明を用いるならば、ピンホール板は脱落しない。従って、従来のように検査中にピンホール板が脱落し、検査を中断して、脱落したピンホール板を床から拾い上げるという煩わしさが無くなる。
【発明を実施するための最良の形態】
【０００６】  回転モーメントを大きくするほどピンホール板の角（５）と上の桟（７）との間に働く摩擦力は大きくなる。回転モーメントを大きくするためには、支点（角（９））からなるべく遠い所になるべく大きな質量を置くのが良い。【０００７】  板付きレンズを傾けていくと、角（９）と重心とを結ぶ線が鉛直に近くなり、回転モーメントが小さくなって、ピンホール板は脱落する。傾けても角（９）と重心とを結ぶ線が水平に近いように初めから重心を高く設定するのがよい。
【実施例】
【０００８】  図１に示すように柄の部分（２）のうち、角（９）から最も遠い縁に突条（４）を設けた。突条を設けたのはこの部分の質量を大きくするためである。【０００９】  図３に示すのは第２の実施例である。角（９）から最も遠い縁の上方に突条（４）を設け、重心（Ｇ）を図１の例（第１実施例）よりも高いところに持ってきた。そのために第１実施例のピンホール板が脱落する傾きでも、まだ十分強い回転モーメントを得ることができ、脱落しない。
【図面の簡単な説明】
【００１０】
【図１】  本発明の第１実施例を示した正面図。
【図２】  比較のため、本発明を用いない例を示した正面図。
【図３】  本発明の第２実施例を示した正面図。
【符号の説明】
【００１１】  １  ピンホール板光学部
２  ピンホール板柄
３  ピンホール
４  突条
５  ピンホール板の角
６  板付きレンズの空所
７  上の桟
８  下の桟
９  桟の角（支点）
Ｇ  重心
【図１】
2005066281.tif 000003
【図２】
2005066281.tif 000004
【図３】
2005066281.tif 000005
(57)【要約】      （修正有）【課題】口元を無理なく閉じる方法及び装置を提供する。【解決手段】口元の癖を正常に閉じるため装着部分に空気穴のついたマスクを使用する。マスクは紙、布地、ナイロン、ウレタンフィルム、塩化ビニール、ポリプロピレン等を用いて、マスクの裏側全体には無害な糊をつけて使用する。さらに、マスクには香りをつける、絵を印刷する、光物を付ける、音楽を奏でる、温度を加える。さらに口元を唇型に変えたり、空気穴を沢山開ける。【選択図】図１
2005066277.tif 000002
【特許請求の範囲】
【請求項１】
発明のマスクには型を変えたり小さくしたり大きくしたり出来る。装着すためにマスク裏側の全体には人間にとって無害な糊をつけて使用します。素材は紙・布地・ナイロン・ウレタンフィルム・塩化ビニール・ポリプロピレン・その他など。又、口元を唇（くちびる）型に型を変えたり空気穴を沢山開けるなどの方法を使用したものを装
2005066277.tif 000003
香りを付ける・絵を印刷する・光物を付ける・音楽を奏でる。
温度を加える（冷たくなる作用・暖かくなる作用）
【発明の詳細な説明】
【技術分野】
【０００１】口元の筋肉正常化と眠っている時、口元が閉じる事。
【背景技術】
【発明の開示】
【発明が解決しようとする課題】
【０００２】人間は眠っている時いろいろな有害な事を口元の行為によって起こす。
だから発明に取り組み、人生の１／３は眠っています。口元の異常な状態が起こっている。口元を矯正する事によって健康がえられる。私の観察及び実験によって、眠っている間は口元が開いているので、口が開かないように意識しながら寝ても閉じません。
まるで、しおれた花のように垂れ下がりまるで言うことをききません。悪い習慣が脳によって行われているからです。
【課題を解決する為の手段】
【０００３】いかに眠っている時に口を閉じるか、まず口元にマスクを貼る。口元は唇に合わせて穴を開ける、そして周りの筋肉をマスクによって矯正する方法です。そして安全である為です。
【発明の効果】
【０００４】私は無呼吸症候群で悩んでいました。私の発明した物で無呼吸を治すことが出来ました。なかなか有効な治療法が無いと聞いていました。多くの人が悩んでおられると思うので、少しは役に立つと思います。これだけが全てではないのですが、有効な手助けの１つになります。又、風の引きやすい方は１つには口を開けて眠っておられる方が多いです。口を閉じる事は大切な健康を取り戻します。１０人中２人は何らかの状態で口を開けて眠っていると聞いています。いかに眠っている時に口を閉じている事が健康に繋がるか計り知れません。
【発明を実施するための最良の型能】
【０００５】睡眠前に装着する。
【実施例】
【０００６】約２ヶ月装着した。
【産業上の利用可能性】
【０００７】無呼吸症候群の治療補助マスク・風邪予防マスク・安眠マスク・健康マスク・美容マスクなど。
【図面の簡単な説明】
【０００８】
【図１】本発明の実施形態を示すマスクの正面図。
【図２】同マスクを裏側から見た正面図。
【図３】同マスクの側面図。
【符号の説明】
【０００９】  １．本体の表側に穴の開いている部分、縦約１８ｍｍ横約５５ｍｍの楕円形。
２．本体の大きさ、縦約４５ｍｍ横約１１０ｍｍの長方形。
３．本体の裏側には全面に糊が付いている長方形。
４．本体の側面図
【図１】
2005066277.tif 000004
【図２】
2005066277.tif 000005
【図３】
2005066277.tif 000006